(57)【要約】【課題】接続対象物の近くに金属が接近していても問題なく接続対象物とだけ導通状態が得られるワニ口クリップを提供する。【解決手段】少なくとも絶縁カバー１２から露出する部分の先端部５、６において、その内面ａ及び端面ｂ以外の表面に絶縁膜１３を設けているため、仮に端子ネジ１５への接続作業の際に、先端部５、６が隣接する別の端子１４、１６に接続しても短絡等を起こすおそれはない。【選択図】図２
2018206655.tif 000002
【特許請求の範囲】
【請求項１】
一対の金属製のクリップ片同士をその中間部付近に設けられた回転軸で軸支し、クリップ片の先端部同士を閉じる方向に付勢する付勢手段を備え、一方のクリップ片の基端部にリード線が接続され、クリップ片の先端部の一部を残して全体がチューブ状の絶縁カバーにより覆われるワニ口クリップであって、
前記先端部はその幅方向の両端部を互いに他方の先端部側へ向けて曲折した断面形状で、該先端部の少なくとも絶縁カバーから露出する部分は、その内面及び端面以外の表面が絶縁膜により覆われていることを特徴とするワニ口クリップ。
【請求項２】
付勢力により閉じた状態の一対の先端部の外形が、先端方向に向けて先細り形状になっていることを特徴とする請求項１記載のワニ口クリップ。
【発明の詳細な説明】
【技術分野】
【０００１】
本発明はワニ口クリップに関するものである。
【背景技術】
【０００２】
電気回路の端子間の接続試験等の際に両端にワニ口クリップを有するジャンパー線が使用される。ワニ口クリップは金属製のクリップ片をバネ等により先端部が閉じる方向に付勢されたもので、その先端部により端子を挟んで接続させる。クリップ片の先端部以外の部分はチューブ状の絶縁カバーにより覆われ、金属製のクリップ片の一部が隣接した金属部分に接触しないようにされている（例えば、特許文献１参照）。
【先行技術文献】
【特許文献】
【０００３】
【特許文献１】特開平８−２７３７２７号公報
【発明の概要】
【発明が解決しようとする課題】
【０００４】
しかしながら、このような従来の技術にあっては、ワニ口クリップの先端部以外の部分は絶縁カバーにより覆われているが、先端部は絶縁カバーから露出しているため、一対の先端部で挟んだ対象端子と隣接する端子との間隔が狭い場合には、接続作業の際に隣接する端子と先端部が接触したり、或いは、接続後にワニ口クリップが傾いて隣接する端子と接触したりするおそれがあった。
【０００５】
本発明は、このような関連技術に着目してなされたものであり、接続対象物の近くに金属が接近していても問題なく接続対象物とだけ導通状態が得られるワニ口クリップを提供することを目的としている。
【課題を解決するための手段】
【０００６】
本発明の第１の技術的側面によれば、一対の金属製のクリップ片同士をその中間部付近に設けられた回転軸で軸支し、クリップ片の先端部同士を閉じる方向に付勢する付勢手段を備え、一方のクリップ片の基端部にリード線が接続され、クリップ片の先端部の一部を残して全体がチューブ状の絶縁カバーにより覆われるワニ口クリップであって、前記先端部はその幅方向の両端部を互いに他方の先端部側へ向けて曲折した断面形状で、該先端部の少なくとも絶縁カバーから露出する部分は、その内面及び端面以外の表面が絶縁膜により覆われていることを特徴とする。
【０００７】
本発明の第２の技術的側面によれば、付勢力により閉じた状態の一対の先端部の外形が、先端方向に向けて先細り形状になっていることを特徴とする。
【発明の効果】
【０００８】
本発明の第１の技術的側面によれば、少なくとも絶縁カバーから露出する部分の先端部において、その内面及び端面以外の表面に絶縁膜を設けているため、仮に接続対象である端子への接続作業の際に、先端部が隣接する別の端子に接続しても短絡等を起こすおそれはない。また接続後においてワニ口クリップが傾いて隣接する端子と接触しても問題ない。先端部の内面及び端面は金属面が露出しているため、一対の先端部で端子を挟むことによりその端子との接続状態は確実に得られる。
【０００９】
本発明の第２の技術的側面によれば、一対の先端部の外形が先細り形状のため、隣接物との間隔が狭い端子でも確実にその端子だけを挟んで接続することができる。
【図面の簡単な説明】
【００１０】
【図１】端子を挟んだ状態のワニ口クリップを示す側面図。
【図２】絶縁カバーを外したクリップ片を示す側面図。
【図３】図１中矢示ＳＡ−ＳＡ線に沿う断面図。
【図４】図３中矢示ＤＡ部分の拡大断面図。
【発明を実施するための形態】
【００１１】
図１〜図４は本発明の好適な実施形態を示す図である。
【００１２】
この実施形態に係るワニ口クリップ１は、一対の金属製のクリップ片２、３同士をその中間部の回転軸４で軸支した構造をしている。クリップ片２、３はその幅方向の両端部を互いに他方側へ向けて曲折した断面コ字形（Ｕ字形でも可）をしている。回転軸４にはクリップ片２、３の先端部５、６側を互い閉じる方向へ付勢するバネ（付勢手段）７が設けられている。先端部５、６の互いに曲折した部分の端末はワニ口形状（ギザギザ）になっている。図２に示すように先端部５、６は閉じた状態で外形が先端方向に向けて先細り形状となっている。
【００１３】
クリップ片２、３の先端部５、６とは反対側の基端部８、９は操作部となっており、操作者がこの部分を手で持って互いに接近させることにより、先端部５、６がバネ７の付勢力に抗して開くようになっている。一方の基端部９にはジャンパ線等として利用するリード線１０がハンダ１１により固定されている。
【００１４】
そしてクリップ片２、３は先端部５、６の先端側の一部を残して全体がチューブ状の絶縁カバー１２により覆われている。この絶縁カバー１２は可撓性の絶縁材料から成り、一体型の成型品によって構成されている。
【００１５】
この実施形態に係るクリップ片２、３はその先端部５、６における内面ａ及び端面ｂ以外の表面が絶縁膜１３により覆われている。この絶縁膜１３は樹脂やゴム等の一般的な絶縁材料を塗布等の方法で被覆したものである。この絶縁膜１３は少なくとも絶縁カバー１２から露出する部分の先端部５、６に設けられていれば良いが、この実施形態では先端部５、６の略全体に設けている。
【００１６】
従って基板に複数の端子ネジ１４、１５、１６が互いに接近した状態で設けられているような場合でも、ワニ口クリップ１の基端部８、９を絶縁カバー１２越しに押して先端部５、６を必要な分だけ開く。そして接続対象である端子ネジ１５を挟み、基端部８、９から手を離す。先端部５、６が先細り形状をしているため、隣接する端子ネジ１４、１６との間隔が狭くてもそれらの端子ネジ１４、１６と干渉することなく、目的とする端子ネジ１５だけを挟むことができる。
【００１７】
また仮に目的とする端子ネジ１５への接続作業中に、絶縁カバー１２から露出した先端部５、６が隣接する端子ネジ１４、１６に接触したとしても、その先端部５、６の表面には絶縁膜１３が設けられているため、先端部５、６が隣接する端子ネジ１４、１６と導通することはなく問題ない。
【００１８】
基端部８、９から手を離すと、バネ７の付勢力により先端部５、６が端子ネジ１５に強く接触する。先端部５、６の内面ａ及び端面ｂには絶縁膜１３が設けられておらずに金属面となっているため、先端部５、６と端子ネジ１５とは確実な接触状態が得られる。
【００１９】
また目的とする端子ネジ１５に接続した後にワニ口クリップ１が傾いて隣接する端子ネジ１４、１６と接触しても、表面に絶縁膜１３が設けられているため、この場合も問題ない。
【００２０】
以上の実施形態では、成型された後のクリップ片２、３の先端部５、６に絶縁膜１３を施す例を示したが、予め表面に絶縁膜１３が施された金属板を打ち抜いて、表現側に絶縁膜１３が位置するようにクリップ片２、３を全体的に成型しても良い。少なくとも絶縁カバー１２から露出している部分の先端部５、６に絶縁膜１３が施されていれば良く、クリップ片２、３のほぼ全体に絶縁膜１３が施されていても良い。
【００２１】
更にこの実施形態では先端部５、６の端末をワニ口形状にする例を示したが、これに限定されずストレート形状でも良い。
【符号の説明】
【００２２】
１  ワニ口クリップ
２、３  クリップ片
４  回転軸
５、６  先端部
１０  リード線
１２  絶縁カバー
１３  絶縁膜
ａ  内面
ｂ  端面
【図１】
2018206655.tif 000003
【図２】
2018206655.tif 000004
【図３】
2018206655.tif 000005
【図４】
2018206655.tif 000006